(57)【特許請求の範囲】
【請求項１】
２次元平面に配列されており、光学手段を介して入射した画像の光を電気信号に変換する光電変換素子と、光電変換部駆動回路によって指定された前記光電変換素子から転送した画素データを画素混合して読み出す転送部とを有する光電変換部と、
この光電変換部から出力された画素データをＡ／Ｄ（アナログ／デジタル）変換するＡ／Ｄ変換部と、
Ａ／Ｄ変換した前記画素データを画像データに変換する画像処理部と、
前記画像データを記録媒体に記憶する記録部と、
スイッチ部に設定された動作又は機能に応じてカメラ全体を制御する制御部とからなり、
撮影操作を行うと、前記光電変換部の一部の光電変換素子から転送された画素データを前記転送部で画素混合して読み出すサンプリング画素転送を行い且つ前記画像処理部で画像処理してなるサムネイル画像データと、前記光電変換部の全ての光電変換素子から転送された画素データを読み出す全画素転送を行い、且つ、前記画像処理部で画像処理してなる主画像データとを１つの前記記録媒体に記録し、
前記スイッチ部で単写モードと、速写又は連写モードとを選択可能で、単写モードのときのサムネイル画像データは、前記主画像データを前記画像処理部で縮小して作成し、速写又は連写モードのときのサムネイル画像データは、前記サンプリング画素転送された画素データを前記画像処理部で画像処理して作成することを特徴とするデジタルカメラ。
【請求項２】
前記サンプリング画素転送によるサムネイル画像データを前記記録媒体に記録した後、前記全画素転送による主画像データを前記記録媒体に記録することを特徴とする請求項１記載のデジタルカメラ。
【請求項３】
前記サンプリング画素転送によるサムネイル画像データの作成及び前記記録媒体への記録処理と、前記全画素転送による主画像データの作成及び前記記録媒体への記録処理を順に且つ並行して行うことを特徴とする請求項１記載のデジタルカメラ。
【請求項４】
２次元平面に配列されており、光学手段を介して入射した画像の光を電気信号に変換する光電変換素子と、この光電変換素子から画素データを読み出す転送部とを有する光電変換部と、
この光電変換部から出力された画素データをＡ／Ｄ変換するＡ／Ｄ変換部と、
Ａ／Ｄ変換した前記画素データを画像データに変換する画像処理部と、
この画像処理部で画像処理された画像データに基づいて画像を表示する表示部と、
前記画像データを記録媒体に記憶する記録部と、
スイッチ部に設定された動作又は機能に応じてカメラ全体を制御する制御部とからなり、
撮影操作を行うと、前記光電変換部の光電変換素子から前記転送部を介して読み出した画素データの数を間引いてテレビジョン放送の方式に適合させるモニタリング画素転送を行い、且つ、当該テレビジョン放送の方式に適合した画素信号を前記画像処理部で画像処理してなるサムネイル画像データと、前記光電変換部の光電変換素子から転送された画素データを読み出す全画素転送を行い、且つ、前記画像処理部で画像処理してなる主画像データとを１つの前記記録媒体に記録し、
前記スイッチ部で単写モードと、速写又は連写モードとを選択可能で、単写モードのときのサムネイル画像データは、前記主画像データを前記画像処理部で縮小して作成し、速写又は連写モードのときのサムネイル画像データは、前記モニタリング画素転送された画素データを前記画像処理部で画像処理して作成することを特徴とするデジタルカメラ。
【請求項５】
前記モニタリング画素転送によるサムネイル画像データを前記記録媒体に記録した後、前記全画素転送による主画像データを前記記録媒体に記録することを特徴とする請求項４記載のデジタルカメラ。
【請求項６】
前記モニタリング画素転送によるサムネイル画像データの作成及び前記記録媒体への記録処理と、前記全画素転送による主画像データの作成及び前記記録媒体への記録処理を順に且つ並行して行うことを特徴とする請求項４記載のデジタルカメラ。
【発明の詳細な説明】
【０００１】
【発明の属する技術分野】
本発明は、速写又は連写撮影時における画像処理間隔を短くして、撮影間隔を短くすることにより、高速で連写できるようにしたデジタルカメラに関するものである。
【０００２】
【従来の技術】
従来、デジタルカメラの撮影ファイルに撮影した画像の中から所望の画像を素早く検索するために、高解像度の主画像データと主画像データの見出しとして使用する低解像度のサムネイル画像データとを撮影ファイルに記録するものがあり、イメージセンサ、例えばＣＣＤ（Charge Coupled Device）から出力された画像データを主画像データ処理してなる主画像データを撮影ファイルに記録した後、撮影ファイルに記録された主画像データを縮小処理してなるサムネイル画像データを撮影ファイルに記録するのが一般的である。
【０００３】
このような記録手順によると、画像データの処理に時間を要するため、所定時間当りの撮影画像が１枚だけの単写撮影時には支障がなくても、所定時間当りの撮影画像枚数が多い連写撮影時には所定時間当りの撮影画像枚数が制約されて、連写時の撮影間隔が短縮できない。
【０００４】
そこで、イメージセンサによって被写体をＭ回連写する場合、１回撮影する毎に、主画像データの圧縮処理と、この主画像圧縮データのメモリへの記録とを順次行った後に、メモリに記録されたＭ個の主画像圧縮データの伸長処理及び圧縮処理と、サムネイル画像データのメモリへの記録とを順次行ったり、１回撮影する毎に、主画像データからのサムネイル画像データの生成処理と、主画像データの圧縮処理と、これらの主画像圧縮データ及びサムネイル画像データのメモリへの記録とを順次行った後に、サムネイル画像データの圧縮処理と、圧縮サムネイル画像データのメモリへの記録とを順次行ったりする、すなわち、サムネイル画像データの圧縮処理を連続撮影が終了した後に行なうことにより、撮影間隔を短縮するという技術（特開2001-157173号公報）が提案されている。
【０００５】
【発明が解決しようとする課題】
ところが、多数のサムネイル画像データを一括して圧縮処理しようとすると、圧縮処理に長い時間を要して、連写直後に次の撮影を行なおうとしても、その撮影ができなくなってしまうため、撮影タイミングを逃すという使い勝手の悪さがあった。
【０００６】
本発明は、このような課題を解決するために、速写又は連写撮影時における画像処理間隔を短くして、撮影間隔を短くすることにより、高速で連写できるようにしたデジタルカメラを提供することを目的とするものである。
【０００７】
【課題を解決するための手段】
請求項１に係る発明は、２次元平面に配列されており、光学手段を介して入射した画像の光を電気信号に変換する光電変換素子と、光電変換部駆動回路によって指定された前記光電変換素子から転送した画素データを画素混合して読み出す転送部とを有する光電変換部と、この光電変換部から出力された画素データをＡ／Ｄ変換するＡ／Ｄ変換部と、Ａ／Ｄ変換した前記画素データを画像データに変換するＤＳＰ部（デジタル信号処理部：画像処理部）と、前記画像データを記録媒体に記憶する記録部と、スイッチ部に設定された動作又は機能に応じてカメラ全体を制御するＣＰＵ（中央演算処理部：制御部）とからなり、撮影操作を行うと、前記光電変換部の一部の光電変換素子から転送された画素データを前記転送部で画素混合して読み出すサンプリング画素転送を行い且つ前記ＤＳＰ部で画像処理してなるサムネイル画像データと、前記光電変換部の全ての光電変換素子から転送された画素データを読み出す全画素転送を行い、且つ、前記ＤＳＰ部で画像処理してなる主画像データとを１つの前記記録媒体に記録し、前記スイッチ部で単写モードと、速写又は連写モードとを選択可能で、単写モードのときのサムネイル画像データは、前記主画像データを前記ＤＳＰ部で縮小して作成し、速写又は連写モードのときのサムネイル画像データは、前記サンプリング画素転送された画素データを前記ＤＳＰ部で画像処理して作成するもので、単写モードのときは、主画像と同一の画像データからサムネイル画像を得ることができ、又、速写又は連写モードのときは、サムネイル画像作成及び記録に時間をとられずに、高速で撮影するものである。
【０００８】
請求項２に係る発明は、前記サンプリング画素転送によるサムネイル画像データを前記記録媒体に記録した後、前記全画素転送による主画像データを前記記録媒体に記録するものである。
【０００９】
請求項３に係る発明は、前記サンプリング画素転送によるサムネイル画像データの作成及び前記記録媒体への記録処理と、前記全画素転送による主画像データの作成及び前記記録媒体への記録処理を順に且つ並行して行うものである。
【００１０】
請求項１乃至３の発明によれば、連続撮影後の後処理に時間をかけることもなくなって、連続撮影の間隔が短くなり、撮影のチャンスを逃すことがない。
【００１１】
請求項４に係る発明は、２次元平面に配列されており、光学手段を介して入射した画像の光を電気信号に変換する光電変換素子と、この光電変換素子から画素データを読み出す転送部とを有する光電変換部と、この光電変換部から出力された画素データをＡ／Ｄ変換するＡ／Ｄ変換部と、Ａ／Ｄ変換した前記画素データを画像データに変換するＤＳＰ部と、このＤＳＰ部で画像処理された画像データに基づいて画像を表示する表示部と、前記画像データを記録媒体に記憶する記録部と、スイッチ部に設定された動作又は機能に応じてカメラ全体を制御するＣＰＵとからなり、撮影操作を行うと、前記光電変換部の光電変換素子から前記転送部を介して読み出した画素データの数を間引いてテレビジョン放送の方式に適合させるモニタリング画素転送を行い、且つ、当該テレビジョン放送の方式に適合した画素信号を前記ＤＳＰ部で画像処理してなるサムネイル画像データと、前記光電変換部の光電変換素子から転送された画素データを読み出す全画素転送を行い、且つ、前記ＤＳＰ部で画像処理してなる主画像データとを１つの前記記録媒体に記録し、前記スイッチ部で単写モードと、速写又は連写モードとを選択可能で、単写モードのときのサムネイル画像データは、前記主画像データを前記ＤＳＰ部で縮小して作成し、速写又は連写モードのときのサムネイル画像データは、前記モニタリング画素転送された画素データを前記ＤＳＰ部で画像処理して作成するもので、単写モードのときは、主画像と同一の画像データからサムネイル画像を得ることができ、又、速写又は連写モードのときは、サムネイル画像作成及び記録に時間をとられずに、高速で撮影するものである。
【００１２】
請求項５に係る発明は、前記モニタリング画素転送によるサムネイル画像データを前記記録媒体に記録した後、前記全画素転送による主画像データを前記記録媒体に記録するものである。
【００１３】
請求項６に係る発明は、前記モニタリング画素転送によるサムネイル画像データの作成及び前記記録媒体への記録処理と、前記全画素転送による主画像データの作成及び前記記録媒体への記録処理を順に且つ並行して行うものである。
【００１４】
請求項４乃至６の発明によれば、連続撮影後の後処理に時間をかけることもなくなって、連続撮影の間隔が短くなり、撮影のチャンスを逃すことがない上、デジタルカメラの小型化及び低価格化を実現できる。
【００１６】
【発明の実施の形態】
以下、本発明の実施形態について、図面を参照しながら詳細に説明する。
【００１７】
図１は本発明の一実施の形態におけるデジタルカメラの基本的な回路の構成を示すブロック図、図２はＣＣＤの基本的な構成及びフィルタ配列を示す図である。
【００１８】
１は、電源キー，シャッタボタン，ズーム操作用Ｔ／Ｗキー（望遠／広角選択キー），単写・速写・連写等のモード選択スイッチのようにデジタルカメラの動作或いは機能を選択・設定するための各種スイッチを設けたスイッチ部、２は撮影レンズ、３はメカニカルシャッタ、４はスイッチ部１で選択・設定された動作或いは機能に応じて撮影レンズ２をフォーカス駆動させたり、メカニカルシャッタ３を開閉動作させたりするドライバ部である。
【００１９】
５は入射した光を電気信号に変換するための光電変換手段を有する光電変換部で、この光電変換部（ＣＣＤ）５には、例えば、２次元平面に水平方向にＨ個及び垂直方向にＶ個を行及び列状に配設すると共に、図２の如き色配列になるように赤（Ｒ）のフィルタ，緑（Ｇ）のフィルタ或いは青（Ｂ）のフィルタで覆った多数のフォトダイオード５１と、光電変換部駆動回路６から出力される制御クロックに応じてフォトダイオード５１から出力された画素データを垂直転送する多数の垂直転送路５２と、光電変換部駆動回路６から出力される制御クロックに応じて各垂直転送路５２から転送される画素データを水平転送する１つの水平転送路５３とで構成されたＣＣＤ（Charge Coupled Device）（図２参照）を使用する。以下、ＣＣＤ５を例に説明する。
【００２０】
７はＣＣＤ５から出力された画素データを相関二重サンプリングするＣＤＳ手段と、ＣＤＳ手段から出力されたデータをＡ／Ｄ変換するＡ／Ｄ変換手段とからなる信号変換部、８は信号変換部７から出力されたデジタル信号の輝度信号Ｙ，色差信号Ｕ，Ｖ信号に変換したり、この輝度信号Ｙ，色差信号Ｕ，Ｖ信号をＪＰＥＧ圧縮したりしてデジタル信号処理を行うＤＳＰ部である。
【００２１】
９はＤＳＰ部８から出力されたデジタルデータに応じて画像を形成する液晶表示装置等の表示部、１０はマイクロフォン等のアナログ信号入力手段１１から入力したアナログ音声信号をデジタル音声データに変換してＤＳＰ部８に出力したり、ＤＳＰ部８から入力したデジタル音声データをアナログ音声信号に変換してスピーカ等のアナログ信号出力手段１２に出力したりする音声ＣＯＤＥＣである。
【００２２】
１３はデジタルカメラに着脱するメモリカード、１４はＤＳＰ部８から出力されたデジタルデータやメモリカード１３のファイルから読み出されたデジタルデータを一時記憶するＤＲＡＭ等のカメラ内蔵のメモリで、このメモリ１４はＤＳＰ部８と後述のＣＰＵ１７のワークメモリとしても使用される。
【００２３】
１５はパーソナルコンピュータ，テレビジョン受像機等の外部装置１６を接続する通信ドライバで、この通信ドライバ１５にＣＲＴ等の画像表示手段を有する外部装置１６を接続するときには、デジタルカメラ本体の表示部９は不要となる。
【００２４】
１７はスイッチ部１に設定された動作或いは機能に応じてデジタルカメラ全体を制御するＣＰＵである。
【００２５】
なお、デジタルカメラには、このほかに、カメラに内蔵した電池を充電するための回路（図示しない）が設けられている。
【００２６】
次に、このように構成された本発明のデジタルカメラの第１の実施例の動作について説明する。
【００２７】
先ず、スイッチ部１のモード選択スイッチを単写モードに設定した状態における動作について、図３のタイミングチャートと図４のフローチャートとを参照しながら説明する。
【００２８】
期間（ｔ＋０）において、シャッタボタンを押圧して（Ｓ１）、ＣＣＤ５を露光する（Ｓ２）と、期間（ｔ＋１）から期間（ｔ＋２）にかけて、Ｒフィルタ及びＧフィルタで覆った（８Ｌ）行，（８Ｌ＋２）行，（８Ｌ＋４）行及び（８Ｌ＋６）行（但し、Ｌ＝０，１，２，３，・・・・）〔以下「ＲＧ行」という〕のフォトダイオード５１に蓄積された画素データを垂直転送路５２に転送する動作と、垂直転送路５２の画素データを図中下方にシフトさせて水平転送路５３に転送する動作と、水平転送路５３の画素データを図中右方にシフトさせてＣＣＤ５から読み出す動作とを、制御クロックが光電変換部駆動回路６からＣＣＤ５に入力する毎に繰り返し行う（Ｓ３）。
【００２９】
この間、ＣＣＤ５から読み出した画素データを、信号変換部７で相関二重サンプリングしてＡ／Ｄ変換した上、ＤＳＰ部８を介して、メモリ１４に逐次記憶する（Ｓ４）。
【００３０】
又、期間（ｔ＋１）から期間（ｔ＋２）にかけて、ＣＣＤ５のＲＧ行の全ての画素データの読出し及びメモリ１４への記憶（Ｓ３及び４）が終了すると、期間（ｔ＋３）から期間（ｔ＋４）にかけて、Ｇフィルタ及びＢフィルタで覆われた（８Ｌ＋１）行，（８Ｌ＋３）行，（８Ｌ＋５）行及び（８Ｌ＋７）行（Ｌ＝０，１，２，３，・・・・）〔以下「ＧＢ行」という〕のフォトダイオード５１に蓄積された画素データを垂直転送路５２に転送する動作と、垂直転送路５２の画素データを図中下方にシフトさせて水平転送路５３に転送する動作と、水平転送路５３の画素データを図中右方にシフトさせてＣＣＤ５から読み出す動作とを、制御クロックが光電変換部駆動回路６からＣＣＤ５に入力する毎に繰り返し行う（Ｓ５）。
【００３１】
この間、ＣＣＤ５から読み出した画素データを、信号変換部７で相関二重サンプリングしてＡ／Ｄ変換した上、ＤＳＰ部８を介して、メモリ１４に逐次記憶する（Ｓ６）。
【００３２】
そして、画素データのメモリ１４への記憶が終了すると、期間（ｔ＋５）から期間（ｔ＋８）にかけて、メモリ１４に記憶した画素データをＤＳＰ部８に読み出して、主画像データに変換した（Ｓ７）上、この主画像データをメモリ１４に再度記憶する（Ｓ８）。
【００３３】
更に、この主画像データの映像処理が終了すると、期間（ｔ＋９）から期間（ｔ＋１２）にかけて、メモリ１４に記憶された主画像データをＤＳＰ部８に再度読み出して、圧縮した（Ｓ９）上、この主画像圧縮データをメモリ１４に記憶する（Ｓ１０）。
【００３４】
このように、全てのフォトダイオード５１に蓄積された画素データをＣＣＤ５から読み出す方法によれば、フォトダイオード５１を水平方向にｍ個，垂直方向にｎ個配列したＣＣＤ５から全ての画素データを読み出すには、およそ（ｍ×ｎ）クロック相当の時間を要するもので、以下「全画素転送方式」という。
【００３５】
そして、全画素転送方式による主画像圧縮データのメモリ１４への記憶が終了した（Ｓ１０）後、スイッチ部１のモード選択スイッチが単写モードであることを確認する（Ｓ１１）と、期間（ｔ＋１３）から期間（ｔ＋１６）にかけて、期間（ｔ＋５）から期間（ｔ＋８）の間に作成された主画像データをメモリ１４から読み出して、縮小した（Ｓ１２）上、この画像縮小データをメモリ１４に記憶する（Ｓ１３）が、このとき、デジタルフィルタで折返し歪み等を防止しながら、扱う画素数の縮小処理を行うため、縮小処理に要する時間は全画素を処理する時間とほぼ同一になる。
【００３６】
そして、この画像縮小データのメモリ１４への記憶が終了すると、期間（ｔ＋１７）において、メモリ１４に記憶された画像縮小データをＤＳＰ部８に読み出して、圧縮することにより、サムネイル画像データを作成した（Ｓ１４）上、このサムネイル画像データをメモリ１４に記憶する（Ｓ１５）。
【００３７】
このように、画像の撮影から主画像圧縮データ及びサムネイル画像データの作成までの一連の動作が終わり、次のＣＣＤ５への露光を期間（ｔ＋１８）以降に行うことができるようになる。すなわち、単写モードの場合には、期間（ｔ＋０）から期間（ｔ＋１７）までの１８期間毎に撮影が可能となる。
【００３８】
次に、スイッチ部１のモード選択スイッチを速写モードに設定した状態における動作について、図３のタイミングチャートと図５及び図４のフローチャートとを参照しながら説明する。
【００３９】
期間（ｔ−４）において、シャッタボタンを押圧して（Ｓ２１）、ＣＣＤ５を露光する（Ｓ２２）と、期間（ｔ−３）において、Ｒフィルタ及びＧフィルタで覆った（８Ｌ）行及び（８Ｌ＋２）行（但し、Ｌ＝０，１，２，３，・・・・）のフォトダイオード５１に蓄積された画素データ（以下「ＲＧ行のサンプリングデータ」という）を垂直転送路５２に転送して画素混合する動作と、垂直転送路５２で画素混合した画素データを図中下方にシフトさせて水平転送路５３に転送する動作と、水平転送路５３の画素データを図中右方にシフトさせてＣＣＤ５から読み出す動作とを、制御クロックが光電変換部駆動回路６からＣＣＤ５に入力する毎に繰り返し行う（Ｓ２３）。
【００４０】
この間、ＣＣＤ５から読み出したＲＧ行のサンプリングデータを、信号変換部７で相関二重サンプリングしてＡ／Ｄ変換した上、ＤＳＰ部８でデジタル信号処理して、メモリ１４に逐次記憶する（Ｓ２４）。
【００４１】
又、期間（ｔ−３）において、ＣＣＤ５のＲＧ行のサンプリングデータの読出し（Ｓ２３）が終了すると、Ｇフィルタ及びＢフィルタで覆われた（８Ｌ＋５）行及び（８Ｌ＋７）行（Ｌ＝０，１，２，３，・・・・）のフォトダイオード５１に蓄積された画素データ（以下「ＧＢ行のサンプリングデータ」という）を垂直転送路５２に転送して画素混合する動作と、垂直転送路５２で画素混合した画素データを図中下方にシフトさせて水平転送路５３に転送する動作と、水平転送路５３の画素データを図中右方にシフトさせてＣＣＤ５から読み出す動作とを、制御クロックが光電変換部駆動回路６からＣＣＤ５に入力する毎に繰り返し行う（Ｓ２５）。
【００４２】
この間、ＣＣＤ５から読み出したＧＢ行のサンプリングデータを、信号変換部７で相関二重サンプリングしてＡ／Ｄ変換した上、ＤＳＰ部８を介して、メモリ１４に逐次記憶する（Ｓ２６）。
【００４３】
そして、サンプリングデータの転送処理が終了すると、期間（ｔ−２）において、メモリ１４に記憶したサンプリングデータをＤＳＰ部８に読み出して、画像データに変換した（Ｓ２７）上、この画像データをメモリ１４に再度記憶する（Ｓ２８）。
【００４４】
更に、この画像データのメモリ１４への記憶が終了すると、期間（ｔ−１）において、メモリ１４に記憶された画像データをＤＳＰ部８に読み出して、圧縮することにより、サムネイル画像データを作成した（Ｓ２９）上、このサムネイル画像データをメモリ１４に再度記憶する（Ｓ３０）。
【００４５】
このようにＲＧ行のサンプリングデータとＧＢ行のサンプリングデータとをＣＣＤ５から読み出す方法によれば、ＣＣＤ５の半分の行のフォトダイオード５１から画素データを読み出した上、２行の画素データを画素混合して、データ量を更に半分に減らしているため、画素データの読出時間は、全画素転送方式の１／４の時間ですむ上、単純に行を間引いてデータ量を減らすよりは、折返し歪み等の影響を受け難くなるもので、以下「サンプリング画素転送方式」という。
【００４６】
このように、サンプリング画素転送方式によるサムネイル画像データのメモリ１４への記憶が終了して（Ｓ３０）、スイッチ部１のモード選択スイッチが速写モードであることを確認する（Ｓ３１）と、期間（ｔ＋０）から期間（ｔ＋１２）にかけて、図４に示した単写モードの（Ｓ１）から（Ｓ１０）までの動作を行って、全画素転送方式による主画像圧縮データを作成し、且つ、メモリ１４に記憶する。
【００４７】
そして、スイッチ部１のモード選択スイッチが速写モードであることを確認する（Ｓ１１）と、２回の画像撮影によるサムネイル画像データ及び主画像圧縮データの作成及び記録までの一連の動作が終わったと判断して、速写モードに戻るため、次のＣＣＤ５への露光を期間（ｔ＋１２）以降に行うことができる。すなわち、速写モードの場合には、期間（ｔ−４）から期間（ｔ＋１２）までの１７期間毎に撮影が可能となる。
【００４８】
更に、スイッチ部１のモード選択スイッチを連写モードに設定した状態における動作について、図３のタイミングチャートと図５及び図４のフローチャートとを参照しながら説明する。
【００４９】
期間（ｔ−１）において、シャッタボタンを押圧して（Ｓ２１）、ＣＣＤ５を露光する（Ｓ２２）と、期間（ｔ＋０）において、ＲＧ行のサンプリングデータを垂直転送路５２に転送して画素混合する動作と、垂直転送路５２で画素混合した画素データを図中下方にシフトさせて水平転送路５３に転送する動作と、水平転送路５３の画素データを図中右方にシフトさせてＣＣＤ５から読み出す動作とを、制御クロックが光電変換部駆動回路６からＣＣＤ５に入力する毎に繰り返し行い（Ｓ２３）、この間、ＣＣＤ５から読み出したＲＧ行のサンプリングデータを、信号変換部７で相関二重サンプリングしてＡ／Ｄ変換した上、ＤＳＰ部８でデジタル信号処理して、メモリ１４に逐次記憶する（Ｓ２４）。
【００５０】
又、期間（ｔ＋０）において、ＧＢ行のサンプリングデータを垂直転送路５２に転送して画素混合する動作と、垂直転送路５２で画素混合した画素データを図中下方にシフトさせて水平転送路５３に転送する動作と、水平転送路５３の画素データを図中右方にシフトさせてＣＣＤ５から読み出す動作とを、制御クロックが光電変換部駆動回路６からＣＣＤ５に入力する毎に繰り返し行い（Ｓ２５）、この間、ＣＣＤ５から読み出されたＧＢ行のサンプリングデータを、信号変換部７で相関二重サンプリングしてＡ／Ｄ変換した上、ＤＳＰ部８を介して、メモリ１４に逐次記憶する（Ｓ２６）。
【００５１】
そして、サンプリングデータの転送処理が終了すると、期間（ｔ＋１）において、メモリ１４に記憶したサンプリングデータをＤＳＰ部８に読み出して、画像データに変換した（Ｓ２７）上、この画像データをメモリ１４に再度記憶する（Ｓ２８）。
【００５２】
更に、この画像データのメモリ１４への記憶が終了すると、期間（ｔ＋２）において、メモリ１４に記憶された画像データをＤＳＰ部８に読み出して、圧縮することにより、サムネイル画像データを作成して（Ｓ２９）、このサムネイル画像データをメモリ１４に再度記憶した（Ｓ３０）後、スイッチ部１のモード選択スイッチが連写モードであることを確認して（Ｓ３１）、サンプリング画素転送方式によるサムネイル画像データの作成及びメモリ１４への記憶を終了する。
【００５３】
一方、期間（ｔ−１）において、シャッタボタンを押圧して（Ｓ２１）、ＣＣＤ５を露光した（Ｓ２２）後に、スイッチ部１のモード選択スイッチが連写モードであることを確認する（Ｓ３２）と、期間（ｔ＋０）から期間（ｔ＋１２）にかけて、図４に示した単写モードの（Ｓ１）から（Ｓ１０）までの動作を行って、全画素転送方式による主画像圧縮データを作成し、且つ、メモリ１４に記憶する。
【００５４】
そして、スイッチ部１のモード選択スイッチが連写モードであることを確認する（Ｓ１１）と、２回の画像撮影によるサムネイル画像データ及び主画像圧縮データの作成及び記録までの並行動作が終わったと判断して、連写モードに戻るため、次のＣＣＤ５への露光を期間（ｔ＋１２）以降に行うことができる。すなわち、連写モードの場合には、期間（ｔ−１）から期間（ｔ＋１２）までの１４期間毎に撮影が可能となる。
【００５５】
このように、本発明のデジタルカメラによれば、速写モードでは、主画像圧縮データデータの作成を行う前に、サムネイル画像データ作成用の撮影を行って、ＣＣＤ５を露光したときの画素データの１／２の読出しを行った上、垂直転送路５２において画素混合して画素データの読出し量を更に１／２にする、すなわちＣＣＤ５から読み出す画素データの量を予め１／４に減少させて、サムネイル画像データを作成しているので、サムネイル画像データ作成の処理に要する時間が減少して、連続撮影の間隔を短くできる上、折返し歪み等の影響を受け難くすることができる。
【００５６】
又、連写モードでは、サムネイル画像データ作成用の撮影の直後に主画像圧縮データ作成用の撮影をほぼ連続して行うことにより、サムネイル画像データ作成処理と主画像圧縮データ作成処理とを同時に並行して行えるため、連写モードでは速写モードよりも更に連続撮影の間隔を短くできる。
【００５７】
なお、サムネイル画像は主画像の見出しとなるもので、同一撮影の画素データに基づいて作成するのが望ましいが、速写又は連写をしたいときには、できるだけ高速で撮影したいという要求のほうが強い上、サムネイル画像データ作成用の撮影と主画像圧縮データ作成用の撮影とは、３０ｍｓ程度の間隔で行われるので、実用的に問題はない。
【００５８】
又、本発明のデジタルカメラの第１の実施例では、単写モードと速写モードと連写モードとを選択できる例で説明したが、単写モードと速写モードとを選択したり、単写モードと連写モードとを選択したりできるものであってもよい。
【００５９】
次に、本発明のデジタルカメラの第２の実施例の動作について説明する。
【００６０】
デジタルカメラは、撮影した画像をデジタルカメラ本体の表示部９に表示できると共に、通信ドライバ１５に接続した外部装置１６、例えばテレビジョン受像機に表示できるようにしているため、表示部９の制御方式もテレビジョン放送の方式、例えばＮＴＳＣ方式に準拠している。
【００６１】
このため、高画素化が進んでおり、水平画素２５６０個，垂直画素１９２０個のように高画素化が進んでいるＣＣＤ５では、ＮＴＳＣ方式に比較して、表示更新時間レートが大きく上回る上、解像度も無駄に上回っているので、ＣＣＤ５から水平画素６４０個，垂直画素４８０個の画素データを、すなわち、1／４の画素データ量を読み出せばよい。
【００６２】
そこで、速写モードの期間（ｔ−４）又は連写モードの期間（ｔ−１）において、シャッタボタンを押圧して（Ｓ２１）、ＣＣＤ５を露光した（Ｓ２２）後、ＣＣＤ５から水平画素６４０個，垂直画素４８０個の画素データを間引いて読み出すことにより、ＮＴＳＣ方式に画像処理すると同時に、この画素データをそのままサムネイル画像作成用の画像データとして使用することができる（以下「モニタリング画素転送方式」という）。
【００６３】
そこで、第１の実施例のように、モニタリング画素転送方式によって作成した画素データからサムネイル画像データを作成してメモリ１４に記憶した後、全画素転送方式によって作成した画素データから主画像データを作成してメモリ１４に記憶してもよく、又、サムネイル画像データ作成用の撮影の直後に主画像圧縮データ作成用の撮影をほぼ連続して行うことにより、サムネイル画像データ作成処理と主画像圧縮データ作成処理とを同時に並行して行えるため、本発明のデジタルカメラの第１の実施例と同様の効果が得られる。
【００６４】
又、モニタリング画素転送によるサムネイル画像データの作成を行うことにより、デジタルカメラの小型化及び低価格化を実現できる。
【００６５】
【発明の効果】
以上説明したように、本発明によれば、速写モードでは、主画像圧縮データの作成を行う前に、サムネイル画像データ作成用の撮影を行って、光電変換部を露光したときの画素データの１／２の読出しを行った上、垂直転送路において画素混合して画素データの読出し量を更に１／２にする、すなわち光電変換部から読み出す画素データの量を予め１／４に減少させて、サムネイル画像データを作成しているので、サムネイル画像データ作成の処理に要する時間が減少して、連続撮影の間隔を短くできる上、折返し歪み等の影響を受け難くすることができる。
【００６６】
又、連写モードでは、サムネイル画像データ作成用の撮影の直後に主画像圧縮データ作成用の撮影をほぼ連続して行うことにより、サムネイル画像データ作成処理と主画像圧縮データ作成処理とが同時に平行して行えるため、連写モードでは速写モードよりも更に連続撮影の間隔を短くできる。
【図面の簡単な説明】
【図１】本発明の一実施の形態におけるデジタルカメラの基本的な回路の構成を示すブロック図
【図２】ＣＣＤの基本的な構成及びフィルタ配列を示す図
【図３】本発明の一実施の形態のデジタルカメラの単写，速写又は連写モードにおける動作タイミングを示すタイミングチャート
【図４】単写モードにおける本発明の一実施の形態のデジタルカメラの動作手順を示すフローチャート
【図５】速写又は連写モードにおける本発明の一実施の形態のデジタルカメラの動作手順を示すフローチャート
【符号の説明】
１  スイッチ部
２  撮影レンズ
３  メカニカルシャッタ
４  ドライバ部
５  光電変換部（ＣＣＤ）
５１  フォトダイオード
５２  垂直転送路
５３  水平転送路
６  光電変換部駆動回路
７  信号変換部
８  ＤＳＰ部
９  表示部
１０  音声ＣＯＤＥＣ
１１  アナログ信号入力手段
１２  アナログ信号出力手段
１３  メモリカード
１４  メモリ
１５  通信ドライバ
１６  外部装置
１７  ＣＰＵ
【図１】
0004055052.tif 000002
【図２】
0004055052.tif 000003
【図３】
0004055052.tif 000004
【図４】
0004055052.tif 000005
【図５】
0004055052.tif 000006